(57)【特許請求の範囲】
【請求項１】
板状部材を密封収納する袋であり、この袋は、板状部材を収納した状態で、少なくとも開封対象となる縁の部分は、板状部材からせり出したつば状部分を有するものであり、この袋を開封する開封装置であって、
前記袋に密封収納された板状部材を載置するテーブルと、
前記袋の開封対象の縁を、切断するカッターと、
を有し、
前記テーブルは、前記袋の開封対象の縁の少なくとも一部に対向するサブテーブルを有し、当該サブテーブルは前記テーブルの他の部分に対し下降するものであり、
前記サブテーブルの板状部材を載置する面に前記袋の下側の１枚を固定する固定手段が設けられ、
前記カッターによる切断後、サブテーブルが下降することにより開封された袋の下側の１枚を板状部材から引きはがす、
開封装置。
【請求項２】
請求項１に記載の開封装置であって、前記固定手段は、サブテーブルの板状部材を載置する面に設けられた穴に負圧を導き、前記袋の下側の一枚を吸着する吸着手段である、開封装置。
【請求項３】
請求項１に記載の開封装置であって、前記袋の開封対象の縁を、テーブルに密着させるための押さえ手段を有する、開封装置。
【請求項４】
請求項３に記載の開封装置であって、前記押さえ手段は、前記カッターの刃が通過する軌跡の両側に配列された穴に負圧を導き、前記袋をテーブルに吸着する吸着手段である、開封装置。
【請求項５】
請求項１〜４のいずれかに記載の開封装置であって、前記カッターにより、前記袋の三方が切断される、開封装置。
【発明の詳細な説明】
【０００１】
【発明の属する技術分野】
本発明は、部材を密封収納する袋の開封装置に関する。
【０００２】
【従来の技術】
温水により等方加圧を行う加圧成形装置において、加圧対象となるワークは、ポリエチレン等の袋に納められた状態で加圧成形が行われる。これは、ワークに圧力の媒体となる温水がしみこまないようにするためである。加圧終了後、袋は手作業で開封され、ワークが取り出されていた。具体的には、袋の１辺またはいくつかの辺を刃物で切断し、ワークからフィルムを剥（む）くようにして、袋の開封、ワークの取り出しを行っていた。
【０００３】
【発明が解決しようとする課題】
以上の開封方法において、袋の一部を切断後も、袋どうしおよび袋とワークは密着しており、これを引き剥（は）がすのは、手間がかかっていた。さらに、ワークは温水で暖められているために、作業にどうしても時間がかかってしまうという問題があった。
【０００４】
本発明は、前述の問題点を解決するためになされたものであり、袋に密封されたワークを取り出す作業を容易なものとすることを目的とする。
【課題を解決するための手段】
本発明にかかる開封装置は、板状部材を密封収納する袋を開封する装置である。前記袋は、板状部材を収納した状態で、少なくとも開封対象となる縁の部分は、板状部材からせり出したつば状部分を有するものである。
【０００５】
前述の課題を解決するために、本発明にかかる開封装置は、前記袋に密封収納された板状部材を載置するテーブルと、前記袋の開封対象の縁を、切断するカッターと、を有し、前記テーブルは、前記袋の開封対象の縁の少なくとも一部に対向するサブテーブルを有し、当該サブテーブルは前記テーブルの他の部分に対し下降するものであり、前記サブテーブルの板状部材を載置する面に前記袋の下側の１枚を固定する固定手段が設けられている。
【０００６】
カッターにより袋の縁部分を切断した後、固定手段により袋の下側の１枚を固定した状態で、サブテーブルを下降させる。これにより、カッターで切断された縁の下側の１枚を、板状部材および袋の上側の１枚から引き剥がすことができる。このようにして、引き剥がされた部分、引き剥がした部分に手をかけやすくし、袋を剥くようにすれば、板状部材を容易に取り出すことができる。
【０００７】
前記固定手段は、サブテーブルの、板状部材を載置する面に設けられた穴に負圧を導き、袋を吸着する吸着手段とすることができる。
【０００８】
また、カッターで切断する際、袋を固定しておくために、袋をテーブルに密着固定するための押さえ手段を設けることも好ましい。さらに、この押さえ手段は、カッターの刃が通過する軌跡の両側に配列された穴に負圧を導き、前記袋をテーブルに吸着する吸着手段とすることができる。
【０００９】
さらに、袋を剥く際により容易に作業ができるように、カッターにより袋の三方を切断することも好ましい。
【００１０】
【発明の実施の形態】
以下、本発明の実施の形態（以下実施形態という）を、図面に従って説明する。図１には、本実施形態の開封装置１０の概略斜視図が示されている。基台１２上には、開封対象物１４を載置するためのテーブル１６が配置されている。テーブル１６は、基台１２に固定配置されたメインテーブル１８と、メインテーブル１８に対して上下方向に移動可能であるサブテーブル２０を含んでいる。また、基台１２上には、テーブル１６を挟むようにしてメインガイドレール２２が配置されている。この２本のメインガイドレール２２上に、メインスライダ２４が配置され、メインガイドレール２２に沿って移動可能となっている。メインスライダ２４は、テーブル１６および開封対象物１４をまたぐ梁（はり）部材２６と、この梁部材２６をメインガイドレール２２上に支える脚部材２８を有している。梁部材２６の下方には円板形のカッター刃３０が配置され、このカッター刃３０は、メインスライダ２４の移動に伴って、テーブル１６上の開封対象物１４の所定の位置に当接し、切断を行う。メインスライダ２４の梁部材２６の側方には、これに双方向にサブガイドレール３２が設けられている。サブスライダ３４は、このサブガイドレール３２上を移動する。また、サブスライダ３４は、円板形のカッター刃３６を備えている。このカッター刃３６は、サブテーブル２０上の開封対象物の切断に用いられる。
【００１１】
図２は、開封対象物１４の詳細を示す断面図である。開封対象物１４は、液体を用いて、等方加圧と加熱を行った積層体３８を含むものである。積層体３８は、セラミックグリーンシートと、所定のパターンが刻設された金属シートを積層し、これを加圧加熱して成形されたものである。積層体３８は、柔らかく、それ自体では形状を保っていられないので、剛体の板、本実施形態においてはステンレス板４０上に載置されている。さらに、成形工程中、液体に浸されるので、ポリエチレン製の袋４２に密封されている。袋４２は、上側のフィルム４４と下側のフィルム４６を縁の部分で熱溶着されて形成されている。図中「×」で示す部分が熱溶着部４８である。図示するように、熱溶着部４８は、加圧成形の対象となる板状部材よりせり出した部分のさらにその先端に位置する。
【００１２】
図３には、テーブル１６の要部を示す側面図が示されている。サブテーブル２０はアクチュエータ５０により支持されており、このアクチュエータ５０により、図示するメインテーブル１８と同じ高さから、これより低い位置へと移動可能である。
【００１３】
図４には、テーブル１６の開封対象物１４を載置する面の詳細が示されている。この面には、載置される袋４２の縁に沿って２列に配列された微細な穴５２が開けられている。これらの穴５２は、パイプを介して吸引ポンプ（不図示）につながっており、吸引ポンプの作用により、これらの穴５２の上面を覆うものがテーブル１６の上面に吸着される。
【００１４】
次に、開封動作について説明する。開封対象物１４をテーブル１６上に載置する。このとき、袋４２のステンレス板４０より外側の部分は、穴５２による吸引作用によって、テーブル１６上に固定される。この状態でメインスライダ２４を図１に示される位置から手前に向けて移動する。この移動中にカッター刃３０が図１に示す一点鎖線Ｌ１に沿って袋４２を切断する。図示されるように、一点鎖線Ｌ１は、袋の熱溶着部４８（図中ダブルハッチングで示す部分）より内側にある。このカッター刃３０の軌跡となる一点鎖線Ｌ１を、図４にも示してある。図４に示されように、カッター刃３０の軌跡の両側に対称に、穴５２が配置されている。これにより、カッター刃３０が通過する際に袋４２が固定され、確実に切断を行うことができる。
【００１５】
メインスライダ２４が図１の手前側にまで移動した後、サブスライダ３４が手前から奥に向けて移動される。このときのカッター刃３６の軌跡が、図１中および図４中、一点鎖線Ｌ２で示されている。一点鎖線Ｌ２で示されるように、カッター刃の軌跡は、袋の熱溶着部分４８より内側にある。また、穴５２は、一点鎖線Ｌ２の両側に対象に配置されている。切断の際に、穴５２によりカッター刃３６の軌跡Ｌ２付近が固定されているので、確実に切断が実行される。
【００１６】
袋４２の三方が切断されると、アクチュエータ５０によりサブテーブル２０が下降される。このとき、袋の下側フィルム４６は、穴５２により導かれる負圧によってサブテーブル２０に吸着されており、サブテーブル２０とともに下に引き下げられる。これにより、上側フィルム４４と下側フィルム４６が分離され、この分離された部分を作業者がつかんでフィルム４４，４６を剥き、積層体３８およびステンレス板４０を取り出す。
【００１７】
開封作業においては、開封対象物１４は熱くなっているので、作業者が触れる時間が短い方が好ましい。特に、ステンレス板４０は触ると熱いために、これに触らないような作業工程が望ましい。カッターによる切断後、密着している上下のフィルムを引き剥がす作業は、時間を要し、またステンレス板などに触る機会が増える。本実施形態によれば、袋４２の縁を切断するだけでなく、切断後上下のフィルム４４，４６を分離する。つまり、作業者は密着したフィルム４４，４６を引き剥がす作業をする必要がなくなり、開封作業が容易となる。
【図面の簡単な説明】
【図１】  本実施形態の開封装置の概略構成を示す斜視図である。
【図２】  開封対象物の詳細図である。
【図３】  テーブル、特にサブテーブルの昇降についての説明図である。
【図４】  テーブルの、開封対象物を載置する面の詳細図である。
【符号の説明】
１０  開封装置、１４  開封対象物、１６  テーブル、１８  メインテーブル、２０  サブテーブル、２４  メインスライダ、３０  カッター刃、３４  サブスライダ、３６  カッター刃、３８  積層体、４０  ステンレス板、４２  袋、４４  上側フィルム、４６  下側フィルム、４８  熱溶着部、５０  アクチュエータ、５２  穴。
【図１】
0004443742.tif 000002
【図２】
0004443742.tif 000003
【図３】
0004443742.tif 000004
【図４】
0004443742.tif 000005